【手続補正書】
【提出日】平成24年12月21日(2012.12.21)
【手続補正１】
【補正対象書類名】明細書
【補正対象項目名】００１５
【補正方法】変更
【補正の内容】
【００１５】
すなわち、被写体の撮影時に取得した分光反射率を示す分光情報を用いて表現された該被写体の画像に対し、他の画像を透過合成する画像処理装置であって、
合成対象となる複数の画像のそれぞれについて、該画像を表現する色空間が、刺激値を示す基本成分と分光情報を示す追加成分から構成される第１の色空間であるか否かを判定する色空間判定手段と、
前記複数の画像のうち、前記色空間判定手段により前記第１の色空間で表現されていると判定された画像を、該第１の色空間における前記基本成分の値のみを用いて第２の色空間で表現される画像に変換する第１の色空間変換手段と、
前記複数の画像のうち、前記色空間判定手段により前記第１の色空間で表現されていないと判定された画像を、前記第２の色空間で表現される画像に変換する第２の色空間変換手段と、
前記第１および第２の色空間変換手段により前記第２の色空間に変換された前記複数の画像を、該第２の色空間上で透過合成する合成手段と、
を有することを特徴とする。
【手続補正２】
【補正対象書類名】特許請求の範囲
【補正対象項目名】全文
【補正方法】変更
【補正の内容】
【特許請求の範囲】
【請求項１】
被写体の撮影時に取得した分光反射率を示す分光情報を用いて表現された該被写体の画像に対し、他の画像を透過合成する画像処理装置であって、
合成対象となる複数の画像のそれぞれについて、該画像を表現する色空間が、刺激値を示す基本成分と分光情報を示す追加成分から構成される第１の色空間であるか否かを判定する色空間判定手段と、
前記複数の画像のうち、前記色空間判定手段により前記第１の色空間で表現されていると判定された画像を、該第１の色空間における前記基本成分の値のみを用いて第２の色空間で表現される画像に変換する第１の色空間変換手段と、
前記複数の画像のうち、前記色空間判定手段により前記第１の色空間で表現されていないと判定された画像を、前記第２の色空間で表現される画像に変換する第２の色空間変換手段と、
前記第１および第２の色空間変換手段により前記第２の色空間に変換された前記複数の画像を、該第２の色空間上で透過合成する合成手段と、
を有することを特徴とする画像処理装置。
【請求項２】
被写体の撮影時に取得した分光反射率を示す分光情報を用いて表現された該被写体の画像に対し、他の画像を透過合成する画像処理装置であって、
合成対象となる複数の画像のそれぞれについて、該画像を表現する色空間が、刺激値を示す基本成分と分光情報を示す追加成分から構成される第１の色空間であるか否かを判定する色空間判定手段と、
前記複数の画像のうち、前記色空間判定手段により前記第１の色空間で表現されていると判定された画像を、該第１の色空間における前記基本成分の値と、データ量を削減するように変換した前記追加成分の値とを用いて、第２の色空間で表現される画像に変換する第１の色空間変換手段と、
前記複数の画像のうち、前記色空間判定手段により前記第１の色空間で表現されていないと判定された画像を、前記第２の色空間で表現される画像に変換する第２の色空間変換手段と、
前記第１および第２の色空間変換手段により前記第２の色空間に変換された前記複数の画像を、該第２の色空間上で透過合成する合成手段と、
を有することを特徴とする画像処理装置。
【請求項３】
前記第１の色空間変換手段は、前記追加成分の値を予め定められた固定値に変換することで、前記データ量を削減するように変換した追加成分の値を得ることを特徴とする請求項２に記載の画像処理装置。
【請求項４】
前記第１の色空間変換手段は、前記追加成分の値を予め定められた複数の基準値のいずれかに変換することで、前記データ量を削減するように変換した追加成分の値を得ることを特徴とする請求項２に記載の画像処理装置。
【請求項５】
さらに、前記合成手段による前記第２の色空間上での合成結果として得られる合成画像を、該合成画像の印刷時に用いる色材の色材量データへ変換する色材量変換手段を有することを特徴とする請求項１乃至４のいずれか１項に記載の画像処理装置。
【請求項６】
さらに、前記複数の画像が重なった重なり領域を該複数の画像のそれぞれから抽出する抽出手段を有し、
前記第１および第２の色空間変換手段、および前記合成手段、および前記色材量変換手段は、前記複数の画像のそれぞれにおける前記重なり領域について処理を行い、
前記色材量変換手段はさらに、前記複数の画像のそれぞれにおける前記重なり領域以外の領域について、それぞれの色空間上の値から前記色材量データへ変換する
ことを特徴とする請求項５に記載の画像処理装置。
【請求項７】
前記複数の画像のそれぞれは、オブジェクトを示すオブジェクト画像であることを特徴とする請求項１乃至６のいずれか１項に記載の画像処理装置。
【請求項８】
さらに、前記第１の色空間変換手段による変換がなされた場合に、その旨を報知する報知手段を有することを特徴とする請求項１乃至７のいずれか１項に記載の画像処理装置。
【請求項９】
被写体の撮影時に取得した分光反射率を示す分光情報を用いて表現された該被写体の画像に対し、他の画像を透過合成する画像処理装置が行う画像処理方法であって、
前記画像処理装置の色空間判定手段が、合成対象となる複数の画像のそれぞれについて、該画像を表現する色空間が、刺激値を示す基本成分と分光情報を示す追加成分から構成される第１の色空間であるか否かを判定する色空間判定ステップと、
前記画像処理装置の第１の色空間変換手段が、前記複数の画像のうち、前記色空間判定ステップにおいて前記第１の色空間で表現されていると判定された画像を、該第１の色空間における前記基本成分の値のみを用いて第２の色空間で表現される画像に変換する第１の色空間変換ステップと、
前記画像処理装置の第２の色空間変換手段が、前記複数の画像のうち、前記色空間判定ステップにおいて前記第１の色空間で表現されていないと判定された画像を、前記第２の色空間で表現される画像に変換する第２の色空間変換ステップと、
前記画像処理装置の合成手段が、前記第１および第２の色空間変換ステップにおいて前記第２の色空間に変換された前記複数の画像を、該第２の色空間上で透過合成する合成ステップと、
を有することを特徴とする画像処理方法。
【請求項１０】
被写体の撮影時に取得した分光反射率を示す分光情報を用いて表現された該被写体の画像に対し、他の画像を透過合成する画像処理装置が行う画像処理方法であって、
前記画像処理装置の色空間判定手段が、合成対象となる複数の画像のそれぞれについて、該画像を表現する色空間が、刺激値を示す基本成分と分光情報を示す追加成分から構成される第１の色空間であるか否かを判定する色空間判定ステップと、
前記画像処理装置の第１の色空間変換手段が、前記複数の画像のうち、前記色空間判定ステップにおいて前記第１の色空間で表現されていると判定された画像を、該第１の色空間における前記基本成分の値と、データ量を削減するように変換した前記追加成分の値とを用いて、第２の色空間で表現される画像に変換する第１の色空間変換ステップと、
前記画像処理装置の第２の色空間変換手段が、前記複数の画像のうち、前記色空間判定ステップにおいて前記第１の色空間で表現されていないと判定された画像を、前記第２の色空間で表現される画像に変換する第２の色空間変換ステップと、
前記画像処理装置の合成手段が、前記第１および第２の色空間変換ステップにおいて前記第２の色空間に変換された前記複数の画像を、該第２の色空間上で透過合成する合成ステップと、
を有することを特徴とする画像処理方法。
【請求項１１】
コンピュータで実行されることにより、該コンピュータを請求項１乃至８のいずれか１項に記載の画像処理装置の各手段として機能させるためのコンピュータプログラム。